(57)【要約】【課題】  放送番組を記録する映像記録再生装置において、予約番組を録画する際に記録媒体の空き容量がない場合でも、予約番組を録画可能とすると共に、使用者が好んで鑑賞し得る番組を効率良く記録することができる映像記録再生装置を提供する。【解決手段】  放送番組の映像信号及び音声信号を受信する放送受信手段と、前記放送受信手段が受信する番組データの受信感度を測定し一定時間毎の受信エラー平均値を算出する受信感度測定手段と、前記放送受信手段によって受信した番組データを記録領域に記録し、当該記録領域に記録された番組データを再生し、前記受信感度測定手段で算出した一定時間毎の受信エラー平均値が予め定めた一定値以上であった番組を優先削除番組テーブルに登録する記録再生手段とを備えることを特徴とする。【選択図】      図１
2008172471.tif 000002
【特許請求の範囲】
【請求項１】
放送番組の映像信号及び音声信号を受信する放送受信手段と、
前記放送受信手段が受信する番組データの受信感度を測定し一定時間毎の受信エラー平均値を算出する受信感度測定手段と、
前記放送受信手段によって受信した番組データを記録領域に記録し、当該記録領域に記録された番組データを再生し、前記受信感度測定手段で算出した一定時間毎の受信エラー平均値が予め定めた一定値以上であった番組を優先削除番組テーブルに登録する記録再生手段とを備えることを特徴とする映像記録再生装置。
【請求項２】
放送番組の映像信号及び音声信号を受信する放送受信手段と、
前記放送受信手段が受信する番組データの受信感度を測定し一定時間毎の受信エラー平均値を算出する受信感度測定手段と、
前記放送受信手段によって受信した番組データを記録領域に記録し、当該記録領域に記録された番組データを再生し、前記受信感度測定手段で算出した一定時間毎の受信エラー平均値が予め定めた一定値以上であった番組を優先削除番組テーブルに登録する記録再生手段と、
前記放送受信手段が受信した番組を前記記録媒体に記録する記録開始時刻及び記録時間を操作により予約設定する操作部と、
前記操作部によって予約設定した記録開始時間となる前に前記操作部によって予約設定した予約番組を記録するのに必要な記録領域が前記記録媒体に不足しているか否かを判断し、前記記録媒体の記録領域が不足していると判断した場合、前記記録領域から前記優先削除番組テーブルに登録された番組に該当する番組データを優先して削除するよう制御する制御部とを備えることを特徴とする映像記録再生装置。
【請求項３】
請求項２記載の映像記録再生装置において、
前記操作部は、操作により前記記録再生手段が前記記録領域に記録するときの番組の記録画質の高低を設定する手段を備え、
前記記録再生手段は、前記操作部によって高い記録画質で設定した番組については前記受信感度測定手段が算出した一定時間毎の受信エラー平均値に予め定めた第１の重み付け係数を乗算して算出した値を優先削除係数として前記優先削除番組テーブルに登録し、前記操作部によって低い記録画質で設定した番組については前記受信感度測定手段が測定した一定時間毎の受信エラー平均値に前記第１の重み付け係数よりも低い第２の重み付け係数を乗算して算出した値を優先削除係数として前記優先削除番組テーブルに登録し、
前記制御部は、前記操作部によって予約設定した記録開始時間となる前に前記操作部によって予約設定した予約番組を記録するのに必要な記録領域が前記記録媒体に不足しているか否かを判断し、前記記録媒体の記録領域が不足していると判断した場合、前記記録領域から前記優先削除番組テーブルに登録された番組のうち前記優先削除係数が最も高い番組に該当する番組データを優先して削除するよう制御することを特徴とする映像記録再生装置。
【請求項４】
受信した放送番組の映像信号及び音声信号を番組データとして記録し、当該記録した番組データを再生する映像記録再生方法において、
受信する放送番組を記録するときの番組データの記録画質の高低を設定する設定ステップと、
受信する放送番組の受信感度を測定し一定時間毎の受信エラー平均値を算出する受信感度測定ステップと、
前記算出した一定時間毎の受信エラー平均値が予め定めた一定値以上であった番組を優先削除番組テーブルに登録する登録ステップとを備えることを特徴とする映像記録再生方法。
【請求項５】
請求項４記載の映像記録再生方法において、
前記受信した放送番組を記録する記録開始時刻及び記録時間を予約設定する予約設定ステップと、
前記記録画質の高低を設定するときに高い記録画質で設定した番組については前記一定時間毎の受信エラー平均値に予め定めた第１の重み付け係数を乗算して算出した値を優先削除係数として前記優先削除番組テーブルに登録し、前記記録画質の高低を設定するときに低い記録画質で設定した番組については前記一定時間毎の受信エラー平均値に前記第１の重み付け係数よりも低い第２の重み付け係数を乗算して算出した値を優先削除係数として前記優先削除番組テーブルに登録する登録ステップと、
前記予約設定した記録開始時間となる前に前記予約設定した予約番組を記録するのに必要な前記記録領域が不足していると判断した場合、前記記録領域から前記優先削除番組テーブルに登録された番組のうち前記優先削除係数が最も高い番組に該当する番組データを優先して削除するよう制御する制御ステップとをさらに備えることを特徴とする映像記録再生方法。
【発明の詳細な説明】
【技術分野】
【０００１】
本発明は、ＴＶ番組等の放送番組を記録及び再生する映像記録再生装置及び映像記録再生方法に関する。
【背景技術】
【０００２】
近年、ＴＶ番組放送の映像信号及び音声信号を記録媒体に記録（録画）し、記録した番組を再生する映像記録再生装置が広く普及している。これらの映像記録再生装置の特徴として、圧縮技術の進歩と番組を記録するための記録媒体の容量増大に伴い、数多くの番組を録画可能となり、更にその録画時間も従来のビデオカセットテープと比較してケタ違いに増大しているため、使用者にとってはメリットがある。
【０００３】
ところが、より大きな記録容量を持った映像記録再生装置においても、記録媒体の容量には限界がある。このため、例えば、予約タイマーによる番組予約機能を利用して番組等を録画しようとする場合、使用者が予め記録領域に録画した番組の中から不要な番組を削除して予約録画するのに必要な記録容量を確保しておかないと、記録領域の容量が一杯で番組の録画が出来なくなってしまうという問題が生じる。
【０００４】
特に、インターネットを通じてデータを送受信することが可能な機能を備えた近年の映像記録再生装置においては、インターネットを経由して自宅の外から携帯電話等で録画予約が可能な機能を持っているものがある。このため、この機能を使用して、自宅の外で携帯電話やパソコンからインターネットを通じて、映像記録再生装置による録画予約しようとした場合、前述したように記録領域の容量が一杯で録画が予約録画できなくなると、映像記録再生装置を直接操作することができる自宅の環境とは異なり、記録領域が一杯の場合に削除しても良い番組を確認することができないため、使用者は特に弊害を感じることとなっていた。
【０００５】
このような問題を解決するため、従来の映像記録再生装置には、録画日時等を監視し、万一、予約録画を行う場合に記録領域が一杯の場合には、録画日時が古い番組から自動的に優先して上書き記録し、録画予約を可能にすることができる映像記録再生装置がある（例えば、特許文献１参照）。
【０００６】
また、従来の映像記録再生装置の他の例として、録画可能な記録容量、録画時間及び録画画質に基づいて、録画実行時の画質モードを調整するものがある（例えば、特許文献２参照）。この映像録画装置によれば、録画可能な記録容量と録画しようとする番組の録画時間に基づいて、録画を実行する場合、録画する画質モードを変化させることにより、限られた記録容量であっても記録に用いる記録領域を節約しながら予約番組を録画することが可能となる。
【０００７】
【特許文献１】特開２００３−１７９８５１号公報
【特許文献２】特開２００２−２７１７４２号公報
【発明の開示】
【発明が解決しようとする課題】
【０００８】
ＴＶ番組等の放送を受信して録画する映像記録再生装置の場合、放送信号の伝搬状態が降雨や電界強度低下等の影響により、アンテナの受信感度が悪くなり、放送の受信が不可能となることがある。このように受信感度が悪くなった状態で記録された番組を特許文献１及び特許文献２に開示されたような映像記録再生装置によって記録した場合は、このような受信感度の良悪に関わらず一律に記録がなされることとなる。そのため、前述したような受信状態が悪い状態で記録された番組を従来の映像記録再生装置によって再生させた場合は、再生画面の画質が著しく悪化した状態で再生される。また、途中で放送の受信が不可能となった状態で記録された番組を再生させた場合も、再生画面が静止画やコマ切れの映像となってしまったり、また、ブロックノイズのみの画面となった状態で再生されることとなり、使用者にとっては番組の鑑賞には耐え難いものとなってしまう。このような状態で記録された番組は、ユーザが好んで視聴しないこととなるが、従来の映像記録再生装置では受信状態の良悪に係わらず一律に記録されてしまうので、受信状態が悪く視聴を好まない番組が記録媒体に記録されたままの状態となり、使用者が視聴を好まない不要な番組データが記録領域に残ることとなり、この不要な番組データが記録領域に残っているために予約録画ができなくなってしまう。
【０００９】
本発明は、放送番組を記録する映像記録再生装置において、予約番組を録画する際に記録媒体の空き容量がない場合でも、予約番組を録画可能とすると共に、使用者が好んで鑑賞し得る番組を効率良く記録することができる映像記録再生装置を提供することを目的とする。
【課題を解決するための手段】
【００１０】
本願の第一の態様における発明は、映像記録再生装置において、放送番組の映像信号及び音声信号を受信する放送受信手段と、前記放送受信手段が受信する番組データの受信感度を測定し一定時間毎の受信エラー平均値を算出する受信感度測定手段と、前記放送受信手段によって受信した番組データを記録領域に記録し、当該記録領域に記録された番組データを再生し、前記受信感度測定手段で算出した一定時間毎の受信エラー平均値が予め定めた一定値以上であった番組を優先削除番組テーブルに登録する記録再生手段とを備えることを特徴とする。
【００１１】
上記映像記録再生装置において、放送番組の映像信号及び音声信号を受信する放送受信手段と、前記放送受信手段が受信する番組データの受信感度を測定し一定時間毎の受信エラー平均値を算出する受信感度測定手段と、前記放送受信手段によって受信した番組データを記録領域に記録し、当該記録領域に記録された番組データを再生し、前記受信感度測定手段で算出した一定時間毎の受信エラー平均値が予め定めた一定値以上であった番組を優先削除番組テーブルに登録する記録再生手段と、前記放送受信手段が受信した番組を前記記録媒体に記録する記録開始時刻及び記録時間を操作により予約設定する操作部と、前記操作部によって予約設定した記録開始時間となる前に前記操作部によって予約設定した予約番組を記録するのに必要な記録領域が前記記録媒体に不足しているか否かを判断し、前記記録媒体の記録領域が不足していると判断した場合、前記記録領域から前記優先削除番組テーブルに登録された番組に該当する番組データを優先して削除するよう制御する制御部とを備えるようにしてもよい。
【００１２】
上記映像記録再生装置において、前記操作部は、操作により前記記録再生手段が前記記録領域に記録するときの番組の記録画質の高低を設定する手段を備え、前記記録再生手段は、前記操作部によって高い記録画質で設定した番組については前記受信感度測定手段が算出した一定時間毎の受信エラー平均値に予め定めた第１の重み付け係数を乗算して算出した値を優先削除係数として前記優先削除番組テーブルに登録し、前記操作部によって低い記録画質で設定した番組については前記受信感度測定手段が測定した一定時間毎の受信エラー平均値に前記第１の重み付け係数よりも低い第２の重み付け係数を乗算して算出した値を優先削除係数として前記優先削除番組テーブルに登録し、前記制御部は、前記操作部によって予約設定した記録開始時間となる前に前記操作部によって予約設定した予約番組を記録するのに必要な記録領域が前記記録媒体に不足しているか否かを判断し、前記記録媒体の記録領域が不足していると判断した場合、前記記録領域から前記優先削除番組テーブルに登録された番組のうち前記優先削除係数が最も高い番組に該当する番組データを優先して削除するよう制御するようにしてもよい。
【００１３】
本願の第二の態様における発明は、受信した放送番組の映像信号及び音声信号を番組データとして記録し、当該記録した番組データを再生する映像記録再生方法において、受信する放送番組を記録するときの番組データの記録画質の高低を設定する設定ステップと、受信する放送番組の受信感度を測定し一定時間毎の受信エラー平均値を算出する受信感度測定ステップと、前記算出した一定時間毎の受信エラー平均値が予め定めた一定値以上であった番組を優先削除番組テーブルに登録する登録ステップとを備えることを特徴とする。
【００１４】
上記映像記録再生方法において、前記受信した放送番組を記録する記録開始時刻及び記録時間を予約設定する予約設定ステップと、前記記録画質の高低を設定するときに高い記録画質で設定した番組については前記一定時間毎の受信エラー平均値に予め定めた第１の重み付け係数を乗算して算出した値を優先削除係数として前記優先削除番組テーブルに登録し、前記記録画質の高低を設定するときに低い記録画質で設定した番組については前記一定時間毎の受信エラー平均値に前記第１の重み付け係数よりも低い第２の重み付け係数を乗算して算出した値を優先削除係数として前記優先削除番組テーブルに登録する登録ステップと、前記予約設定した記録開始時間となる前に前記予約設定した予約番組を記録するのに必要な前記記録領域が不足していると判断した場合、前記記録領域から前記優先削除番組テーブルに登録された番組のうち前記優先削除係数が最も高い番組に該当する番組データを優先して削除するよう制御する制御ステップとをさらに備えるようにしてもよい。
【発明の効果】
【００１５】
本発明によれば、放送番組を記録する映像記録再生装置において、予約番組を録画する際に記録媒体の空き容量がない場合でも、予約番組を録画可能とすると共に、使用者が好んで鑑賞し得る番組を効率良く記録することができる映像記録再生装置を提供することができる。
【発明を実施するための最良の形態】
【００１６】
本発明の実施の形態を図面を参照して説明する。なお、従来技術で示した構成要素と同一の部分については同符号を用いる。
【００１７】
図１は、本発明の一実施例の映像記録再生装置を示すブロック図である。
映像記録再生装置１００は、アンテナ１、チューナ２、デコーダ３、受信感度測定部４、記録データのエンコーダ５、バッファメモリ６、操作部７、システム制御部８、バッファメモリ制御部９、記録再生手段として本実施例で説明するハードディスク（Hard Disk）１０、再生データのデコーダ１１、Ｄ／Ａ変換部１２及び出力端子１３を備える。
【００１８】
本実施例では番組を記録するための記録媒体をハードディスクとする。なお、記録媒体はハードディスクに限定されるものではなく、他の記録媒体でも問題はないが、複数の番組を記録することができるものを対象とする。
【００１９】
チューナ２は、アンテナ１を介して放送番組の電波信号を受信する。受信する放送番組のチャンネルの選択は、使用者が操作部７を操作することによって、システム制御部８を介して選択される。チューナ２によって受信した放送番組の電波信号は、デコーダ３によって番組データに復調され、記録データのエンコーダ５へ入力される。
【００２０】
受信感度測定部４は、デコーダ３によってデコードされた番組データの受信感度を測定する。記録データのエンコーダ５は、入力された番組データをエンコードする。記録データのエンコーダ５によってエンコードされた番組データは、バッファメモリ制御部９の制御によりバッファメモリ６に一時的に格納される。バッファメモリ６に格納された番組データは、システム制御部８の制御によりハードディスク１０に記録される。
【００２１】
次にハードディスク１０に記録された番組データを再生する場合について説明する。使用者は、操作部７を操作してハードディスク１０に記録（録画）された複数の番組データの中から、再生する番組データを選択する。操作部７により選択された番組データは、システム制御部８の制御により、ハードディスクドライブ装置１０から読み出され、再生データのデコーダ１１に転送される。再生データのデコーダ１１は、読み出した番組データを映像データ及び音声データに復調する。再生データのデコーダ１１によって復調された映像データ及び音声データは、Ｄ／Ａ変換器１２によって映像信号及び音声信号に変換され、出力端子１３を介して他の装置に出力される。
【００２２】
図２は、録画画質モード毎に必要な記録容量を説明する図である。
図２において、「録画画質モード」は、放送番組を録画する場合の画質モードを示す。図２において、単位時間当たりの記録容量が最も大きくなる高画質モードを「ＨＧ」とし、高画質モードの次に単位時間当たりの記録容量が大きくなる標準画質モードを「ＳＧ」とし、単位時間当たりの記録容量が節約できる長時間画質モードを「ＬＧ」とし、単位時間当たりの記録容量を最も必要としないエコノミー画質モードを「ＥＧ」として表している。図２に示す４つの録画画質モードは、近年のハードディスクを搭載した映像記録再生装置に用いられている一般的なモードである。
【００２３】
図２に示すように、高画質モードを１とした場合に必要な記録容量は、標準画質モードで０．５となり、長時間画質モードで０．２５となり、エコノミー画質モードで０．１５となる。このため、図２に示すように、例えば、高画質モードで１時間録画するのに必要な記録容量で記録可能な時間は、標準画質モードで２時間となり、長時間画質モードで４時間となり、エコノミー画質モードで６．６時間となる。つまり、ハードディスク１０に高画質モードで１時間記録できる記録容量がある場合は、エコノミー画質モードで、６．６時間の録画が可能ということになる。
【００２４】
次に、本実施例の映像記録再生装置１００における録画の動作を説明する。
図３は、本実施例の映像記録再生装置１００の録画動作を説明するフローチャート図である。
【００２５】
先ず、使用者が操作部７の録画開始の操作ボタンを操作し、録画する放送番組のチャンネルを選択する（ステップＳ１）。次に、使用者が操作部７の操作ボタンを操作して録画を行う場合の録画画質モードを設定する（ステップＳ２）。この録画画質モードは、図２に示すように、高画質モード、標準画質モード、長時間画質モード、エコノミー画質モードのいずれかから選択するモードである。
【００２６】
次に、ステップＳ３では、予め、受信感度測定部４の受信エラーカウンタを初期状態にしておく。次に、ステップＳ４において、番組の録画が開始され、同時に、受信感度測定部４によって測定した受信感度に基づいて、１分毎に受信エラーが生じた場合のエラー数を計測する（ステップＳ５）。本実施例では、このエラー数は、前述したようにエラー訂正ができなかった場合の受信エラーの個数とする。また、本実施例では１分毎にこのエラー数を測定するものとする。次に、ステップＳ６において、録画終了時間になったか否か、或いは、使用者が操作部７の操作ボタンを操作して録画停止の操作を行ったか否かをチェックする。ステップＳ６において、録画終了または録画停止でない場合は、ステップＳ５に戻り、１分毎の受信エラー数の測定を継続し、また、録画終了または録画停止の操作が行われた場合は、ステップＳ７に移行する。
【００２７】
本実施例の映像記録再生装置１００では、１分間隔で受信エラー数を計測し、その積和を録画時間（分）で割った値を１分毎の受信エラー平均値として算出し、この算出した値を予め定めた基準値と比較して、受信状態の良否を判定することとした。本実施例では、受信状態の良否判定の基準値を１分毎の受信エラー平均値が１００以上であったか否かで判定するものとする。この基準値は録画した番組を再生した場合に使用者の鑑賞に耐えられる境界の値を設定する。即ち、この基準値より値が大きい場合には受信感度としては悪い状態であり、この基準値より小さい場合には受信状態が良い状態である。
【００２８】
なお、本実施例の映像記録再生装置においては、録画している間のエラー数の合計を記録時間（分）で除算して１分毎の受信エラー平均値として受信状態の良否を判定するようにしたが、その他に１分毎の受信エラー数が最少または最大であった場合の数値を記憶し、１分毎の受信エラー数の平均の値と１分間に生じた受信エラー数の最大値が、共に予め定めた基準値を越えない時のみ、受信状態が良であると判断するようにしてもいい。
【００２９】
以上のように、ステップＳ７においては、受信感度測定部４によって測定した受信エラー平均値の情報を録画番組の付加情報としてハードディスク１０に記録する。
【００３０】
ステップＳ８においては、ステップＳ７においてハードディスク１０に記録した１分毎の受信エラー平均値が基準値である１００を超えている否かを判断する。ここで受信エラー平均値が基準値を超えていない場合には、ステップＳ１０に移行し、録画終了処理を行う。受信エラー平均値が基準値を超えている場合には、ステップＳ９に移行し、録画した番組をハードディスク１０に予め設定しておいた「優先削除番組群」に登録する。「優先削除番組群」とは、これから録画しようとする番組に必要な記録容量に対してハードディスク１０に空き領域が無い場合に、優先的に削除する番組群（テーブル）である。即ち、この「優先削除番組群」に登録された番組をすぐにハードディスク１０から削除するわけではないが、ハードディスク１０に番組を予約録画しようとする際に記録領域が不足した場合にこの「優先削除番組群」に登録されている番組を優先的に削除するのである。
【００３１】
図４は、番組を録画した後、優先削除番組群として登録された番組の一覧の一例を示す図である。
【００３２】
図４に示す優先削除番組群の一覧は、優先削除番組群として登録されている番組を録画日時順に並べたものを示している。図４において、「番号」は現在登録されている優先削除番組群の中に登録されている番組の数に相当する番号である。「録画日」は録画した日、「タイトル」は電子番組表（ＥＰＧ（Electronic Program Guide））等を利用して取得された番組のタイトルを示す。「録画画質モード」は、前述したように、使用者が操作部７を操作して設定した録画画質モードを示す。「録画時間」は、該当する番組の録画時間である。「受信エラー平均値」は、前述したように、録画時の受信感度を示す際の受信エラー数の１分毎の平均値である。
【００３３】
図４に示すように、優先削除番組群として登録されている５つの番組は、全て録画状態が悪かった番組の一覧であり、例えば、使用者が操作部７を操作することによって視覚的に映像信号として出力し、ＴＶ画面等に表示させるようにしても良い。そしてＴＶ画面等に表示したこの優先削除番組群から特定の番組を外したい場合には、操作部７の操作によって使用者が優先削除番組群から削除できるようにしても良い。
【００３４】
図５は、図４に示す優先削除番組群を受信エラー平均値の高かった順に並べた図である。
図６は、録画画質モード毎に予め設定された重み付け係数を示す図である。
【００３５】
使用者が録画画質を高くして番組を録画する場合は、使用者が高い画質で視聴することを希望した番組であることから、高画質で録画することを希望した番組を再生させた場合に画質が悪くなってしまった場合は、通常の画質で録画した番組と同等の画質であっても、使用者が視聴し難い番組となる。このため、本実施例においては、録画画質モード毎に予め重み付け係数を設定し、受信感度測定部４により算出した１分毎の受信エラー平均値と録画画質モード毎に設定した重み付け係数を乗算したものを優先削除係数とし、この優先削除係数を優先削除番組群に登録する構成とした。
【００３６】
図６において、「録画画質モード」は、前述した録画画質モードを示す。「重み付け」は、各画質モードに対応した重み付けの係数であり、高画質モード（ＨＧ）の場合を１とし、標準画質モードの場合を０．４とし、長時間画質モードの場合を０．３とし、エコノミー画質モードの場合を０．２とする。
図６に示すように、録画画質が高い画質モードから低くなる画質モードになるにつれて、重み付け係数を低いものとして設定したが、この理由については後述する。
【００３７】
図７は、図６に示す優先削除番組群に登録されている各番組に優先削除係数を付加し、優先削除係数が高い番組から順に上から並べた場合の一覧を示す図である。
図７に示す「補正エラー平均値」は、各番組を録画した際に算出した１分毎の受信エラー平均値に図６で示した録画画質モード毎の重み付け係数を乗算した値を示す。例えば、図７に示す番組の内、番号が「１」であるタイトル：「渡る世間」については、録画画質モードが高画質モードである「ＨＧ」であることから、図６に示すように、この番組の重み付け係数は「１」となる。したがって、この番組の「優先削除係数」は、（受信エラー平均値）×（重み付け）＝１１２×１＝１１２となる。また、図７に示す番組の内、番号が「５」であるタイトル：「ニュース」については、録画画質モードがエコノミー画質モードである「ＥＧ」であることから、図６に示すように、この番組の重み付け係数は「０．２」となる。したがって、この番組の「優先削除係数」は（受信エラー平均値）×（重み付け）＝１３０×０．２＝２６となる。このように、他の番組についても同様に算出すると、各番組の「優先削除係数」は、図７に示す値となる。
【００３８】
図６に示すように録画画質モードが高画質になるにつれて重み付け係数を高い値とし、録画画質モードが低画質になるにつれて重み付け係数を低い値としたのは、例えば、使用者が番組を高画質で録画した場合は、使用者がこの番組を高い画質で視聴することを希望した番組であることから、この番組の画質が悪化した場合は、通常の画質で録画した番組と同等の画質であっても、使用者が視聴し難い番組となり、また、使用者が番組を低画質で録画した場合は、使用者がこの番組を低い画質で視聴することを希望した番組であることから、この番組の画質が悪化しても使用者が視聴し難い番組とはならないことを考慮したものである。つまり、例えば、図７に示す番組の内、番号が「１」であるタイトル：「渡る世間」については、録画画質モードが高画質モードである「ＨＧ」であり、この番組の受信エラー平均値は１１２であるが、この番組は使用者が高い画質で視聴することを希望した番組であることから、重み付け係数を他の録画画質モードよりも高い係数「１」として設定し、優先削除係数が１１２となるようにしたが、図７に示す番組の内、番号が「４」であるタイトル：「ニュース」については、録画画質モードがエコノミー画質モードである「ＥＧ」であり、この番組の受信エラー平均値は１３０であるが、この番組は使用者が低い画質でも視聴することを希望した番組であることから、重み付け係数を他の録画画質モードよりも低い係数「０．２」として設定し、優先削除係数が２６となるようにした。このことにより、番号が「１」であるタイトル：「渡る世間」についての優先削除係数は、番号が「５」であるタイトル：「ニュース」についての優先削除係数よりも高い値となり、例えば、優先削除係数が高い順に優先的に番組データを削除する場合、優先削除番組群に登録された番組の内、番号が「５」であるタイトル：「ニュース」の番組よりも、番号が「１」であるタイトル：「渡る世間」の番組が優先的に削除されることになる。
【００３９】
このように、使用者が番組を高画質で録画した番組の画質が悪化した場合は、通常の画質で録画した番組と同等の画質であっても、使用者が視聴し難い番組となり、また、使用者が番組を低画質で録画した番組の画質が悪化した場合は、使用者が視聴し難い番組とはならないことを考慮し、録画画質が高い番組になるにつれて重み付け係数を高く設定し、録画画質が低い番組になるにつれて重み付け係数を低く設定した。
【００４０】
次に、本実施例の映像記録再生装置１００によって新たな番組を予約録画しようとする場合に、この新たな番組を録画するのに必要な記録容量を確保するための動作について説明する。
【００４１】
図８は、本実施例の映像記録再生装置１００によって新たな番組を予約録画しようとする場合の動作を説明するフローチャート図である。
【００４２】
先ず、ステップＳ２１において、使用者が操作部７を操作することにより予約録画が設定されると共に、番組を録画する際における録画画質モードが設定されると、この設定された録画画質モードで予約録画を行った場合に必要な記録容量を算出する。次に、ステップＳ２２において、番組を録画するのに必要な空き容量がハードディスク１０内に存在するか否かをチェックする。ステップＳ２２において、予約録画に必要な記録容量がハードディスク１０に存在する場合にはステップＳ２８へ移行し、録画開始の時刻まで録画待機状態となる。録画開始の時刻となった場合の録画動作については、図３に示した動作と同様となる。
【００４３】
ステップＳ２２において、番組の予約録画に必要な空き容量がハードディスク１０に存在しなかった場合は、ステップＳ２３へ移行する。ステップＳ２３においては、ハードディスク１０に設定されている優先削除番組群に登録されている番組をチェックする。そして、ステップＳ２４において、図７に示す優先削除番組群に登録されている番組の内、優先削除係数が最も高い番組に該当する番組データをハードディスク１０から削除すると共に、優先削除番組群から削除した番組データに該当する番組を削除する。
【００４４】
ステップＳ２５においては、ステップＳ２４で削除した後の優先削除番組群に登録されている番組のリストを更新する。例えば、図７に示す優先削除番組群の中で最も優先削除係数が高いタイトル：「渡る世間」の番組が削除された場合は、残りの４つの番組が優先削除番組群に登録された状態となる。次にステップＳ２６において、当該番組を削除した後、予約録画に必要な空き容量が確保できたか否かをチェックする。ここで、予約録画に必要な空き容量がハードディスク１０に確保できた場合は、ステップＳ２８へ移行し、前述したように予約録画開始時刻まで録画待機となる。ステップＳ２６において予約録画に必要な空き容量が確保できない場合は、ステップＳ２７に移行する。
【００４５】
ステップＳ２７においては、優先削除番組群に番組が登録されているか否かをチェックし、登録されている場合はステップＳ２４に戻り、図７に示す優先削除番組群に登録されている番組の内、優先削除係数が最も高い番組に該当する番組データをハードディスク１０から削除する。ステップＳ２７において、優先削除番組群に登録された番組がない場合は、従来の方法、例えば、ハードディスク１０に記録されている番組の内、録画日時が古い番組から優先的に削除して予約録画に必要な記録容量を確保する。
【００４６】
以上のように、本実施例の映像記録再生装置１００は、番組を録画した時の受信状態における１分毎の受信エラー平均値を算出し、また、番組を録画する際に設定する録画画質モード毎に重み付け係数を設定し、前述した１分毎の受信エラー平均値と録画画質モード毎に設定した重み付け係数を乗算したものを優先削除係数とし、この優先削除係数を優先削除番組群に登録しておき、予約録画を行う際に予約録画に必要な空き容量がない場合に優先削除番組群に登録された番組の内、優先削除係数が最も高い番組に該当する番組データを優先的に削除する構成とすることにより、使用者が高画質モードで録画を希望したにも係わらず悪い画質で記録されてしまった番組を優先的にハードディスク１０から自動的に削除し、予約録画に必要な記録媒体の空き領域を確保することができる。このことにより、予約録画を行う際に予約録画に必要な空き容量がハードディスク１０に存在しない場合でも、使用者が好んで鑑賞し得る番組のみを効率良くハードディスク１０に残しつつ、予約録画に必要な記録容量を確保することができる。
【００４７】
本実施例の映像記録再生装置１００は、予約録画を行う際に予約録画に必要な空き容量がない場合に優先削除番組群に登録されている番組の内、優先削除係数が最も高い番組に該当する番組データを優先的に削除する構成としたが、予約録画を行う際に予約録画に必要な空き容量がハードディスクに存在しない場合、優先削除番組群に登録されている番組の内、１分毎の受信エラー平均値が最も高い番組に該当する番組データを優先的に削除する構成としても良い。これにより、予め重み付け係数を設定する必要がなく、また、優先削除係数を算出する必要がないため、映像記録再生装置の構成を簡略化することができ、装置のコスト低減を図ることができる。
【図面の簡単な説明】
【００４８】
【図１】本発明の一実施例の映像記録再生装置を示すブロック図。
【図２】録画画質モード毎に必要な記録容量を説明する図。
【図３】本実施例の映像記録再生装置１００の録画動作を説明するフローチャート図。
【図４】番組を録画した後、優先削除番組群として登録された番組の一覧の一例を示す図。
【図５】図４に示す優先削除番組群を受信エラー平均値の高かった順に並べた図。
【図６】録画画質モード毎に予め設定された重み付け係数を示す図。
【図７】図６に示す優先削除番組群に登録されている各番組に優先削除係数を付加し、優先削除係数が高い番組から順に上から並べた場合の一覧を示す図。
【図８】本実施例の映像記録再生装置１００によって新たな番組を予約録画しようとする場合の動作を説明するフローチャート図。
【符号の説明】
【００４９】
１  アンテナ、２  チューナ、３  デコーダ、４  受信感度測定部、
５  記録データのエンコーダ、６  バッファメモリ、７  操作部、８  システム制御部、
９  バッファメモリ制御部、１０  ハードディスク、１１  再生用データのデコーダ、
１２  Ｄ／Ａ変換部、１３  出力端子、１００  映像記録再生装置
【図１】
2008172471.tif 000003
【図２】
2008172471.tif 000004
【図３】
2008172471.tif 000005
【図４】
2008172471.tif 000006
【図５】
2008172471.tif 000007
【図６】
2008172471.tif 000008
【図７】
2008172471.tif 000009
【図８】
2008172471.tif 000010